(57)【要約】【課題】本発明は廉価であることが要求される情報コードを備えた印刷物にも適用可能で、且つ簡便な方法でその真正性の判定が可能な偽造防止機能を備えた印刷物を提供することを課題とする。【解決手段】印刷可能な支持体である基材３と、情報コードのパターンを有する印刷層２と、偽造防止層１と、をこの順に備えている偽造防止機能を備えた印刷物１０であって、偽造防止層は、左回転の円偏光と右回転の円偏光のいずれか、または両方の円偏光を、それぞれ特定の波長のみ反射する性質を備えていることを特徴とする偽造防止機能を備えた印刷物。前記の偽造防止層は、固体化したコレステリック液晶からなるフレーク状の顔料と、バインダーと、を含有した偽造防止層であっても良い。【選択図】図１
2018072388.tif 000002
【特許請求の範囲】
【請求項１】
印刷可能な支持体である基材と、情報コードのパターンを有する印刷層と、偽造防止層と、をこの順に備えている偽造防止機能を備えた印刷物であって、
偽造防止層は、左回転の円偏光と右回転の円偏光のいずれか、または両方の円偏光を、それぞれ特定の波長のみ反射する性質を備えていることを特徴とする印刷物。
【請求項２】
前記偽造防止層が、固体化したコレステリック液晶からなるフレーク状の顔料と、バインダーと、を含有することを特徴とする請求項１に記載の偽造防止機能を備えていることを特徴とする印刷物。
【請求項３】
請求項１または２に記載の偽造防止機能を備えた前記印刷物の真正性の判定方法であって、
前記偽造防止層が備えている左回転の円偏光と右回転の円偏光のいずれか、または両方の円偏光を、それぞれ特定の波長のみ反射する性質を、前記偽造防止層の表面に配置された右回転の円偏光板と左回転の円偏光板を使用して検知するか、または前記印刷物からの反射光を前記印刷物の真上と斜め上方から目視することによって検知することを特徴とする真正性の判定方法。
【発明の詳細な説明】
【技術分野】
【０００１】
本発明は、一次元および二次元コードなどの情報コードに偽造防止機能を付与した印刷物とその印刷物の真正性の判定方法に関する。
【背景技術】
【０００２】
一次元および二次元コードなどの情報コードは、商品をはじめ、各種の証書や金券などの有価証券に付され、それらの属性情報を担うことにより、それらの管理業務の著しい効率化に貢献している。また、トラック＆トレースなどに幅広く利用されている。
【０００３】
このように各方面にて多用されている情報コードであるが、偽造防止機能を持っていないため、例えば有価証券を偽造する不正行為が後を絶たず、むしろ増加する傾向にある。そのため、各種の偽造防止技術が提案されている。
【０００４】
例えば、特許文献１には、偽造が困難な一次元バーコードを提供するため、近赤外光の吸収特性が相互に異なり、かついずれも近赤外光を光源として使用するバーコードリーダによって読取り可能な二種類のバーにより構成し、そのいずれか一方のバーを真贋判定用のバーとした偽造防止可能な一次元バーコードが開示されている。
【０００５】
この技術においては、近赤外光を光源とするバーコードリーダが必要であり、人が目視で真偽判定を行うことはできない。
【０００６】
また特許文献２には、偽造が極めて困難であり、かつその識別性も高く、更に安価なため一般に流通する物品にも適用可能なセキュリティ媒体を提供するため、高分子コレステリック液晶を用いた真正性を識別する識別構造が開示されている。この技術は、この識別構造からの反射光を、偏光フィルタを介して視認することにより識別することを可能とする技術である。
【０００７】
この技術は、高い識別性を持つ優れた技術であるが、一次元および二次元コードのような情報コードのコピー防止機能を考慮していない。
【０００８】
また特許文献３には、コレステリック液晶の特性を利用して認証情報を記録する場合に、偽造困難性の高い偽造防止機能付シートを提供するため、少なくとも可視光領域に選択反射波長帯域を有するコレステリック液晶層を有し、このコレステリック液晶層の厚みの略等しい単一層であって、少なくとも１ヶ所に選択反射波長帯域が他の領域とは異なる認証領域が設けられていることを特徴とする偽造防止機能付シートが開示されている。認証領域に認証情報を持たせる構成となっている。
【０００９】
この技術は、コレステリック液晶層に認証情報を持たせることができる優れた技術であるが、その偽造防止機能付シートを製造する工程として、透明な基材に、少なくともネマティック液晶とカイラル剤と紫外線反応開始剤からなるコレステリック性を示す重合性液晶を塗布する工程と、記録すべき認証情報に基づきパターン化した紫外線を塗布面の一方側から照射する工程と、この照射工程の後、塗布面の他方側から紫外線を照射する工程と、を含む製造工程が必要となる。また、この偽造防止機能付シートを認証する認証システムを必要とする。そのため、この技術による偽造防止機能付シートを廉価で製造することは困難であると考えられる。
【００１０】
また特許文献４には、市販のカラー複写機などによる偽造が困難な、隠し文字やパター
ン等潜像画像の形成が廉価で、かつその潜像画像が真正品か偽造品かを簡単な装置で判別を可能とする偽造防止インキを提供するため、左偏光性および右偏光性を持つフレーク状の偏光性顔料（高分子コレステリック液晶）を含む偽造防止インキ、偽造防止印刷物およびその真偽判定方法が開示されている。
【００１１】
この偽造防止インキによる偽造防止印刷物は、ＯＶＤ（Ｏｐｔｉｃａｌ  Ｖｅｒｉａｂｌｅ  Ｄｅｖｉｃｅ）画像と同等の効果である目視角度によるカラーシフトを生じ、市販のカラー複写機などによる偽造が困難で、且つこの文字類や模様状の潜像画像の形成が廉価で、且つその潜像画像が真正品か偽造品かを簡単な装置で判別可能とする優れた技術である。
【００１２】
この偽造防止インキを使用して、例えば一次元コードや二次元コードなどの情報コードを印刷する場合、高分子コレステリック液晶からなるフレーク状の偏光性顔料を含む偽造防止インキが目視角度による十分なカラーシフトを起こすためには、１０μｍ程度の厚さが必要となる。しかしながら、情報コードを印刷する場合、良好なパターン形状を得るためには数μｍ以下のインキ層であることが必要となる。そのため、この偽造防止インキを使用して十分なカラーシフトが観察可能な情報コードを印刷する場合、粗いパターンからなる情報コードに限定されると考えられる。
【先行技術文献】
【特許文献】
【００１３】
【特許文献１】特開平２−３０４６８９公報
【特許文献２】特許第３６５２４７６号公報
【特許文献３】特開２００６−１４２６９９号公報
【特許文献４】特許第４１７２１９９号公報
【発明の概要】
【発明が解決しようとする課題】
【００１４】
上記の事情に鑑み、本発明は廉価であることが要求される情報コードを備えた印刷物にも適用可能で、且つ簡便な方法でその真正性の判定が可能な偽造防止機能を備えた印刷物を提供することを課題とする。
【課題を解決するための手段】
【００１５】
上記の課題を解決する手段として、本発明の請求項１に記載の発明は、印刷可能な支持体である基材と、情報コードのパターンを有する印刷層と、偽造防止層と、をこの順に備えている偽造防止機能を備えた印刷物であって、
偽造防止層は、左回転の円偏光と右回転の円偏光のいずれか、または両方の円偏光を、それぞれ特定の波長のみ反射する性質を備えていることを特徴とする印刷物である。
【００１６】
また、請求項２に記載の発明は、前記偽造防止層が、固体化したコレステリック液晶からなるフレーク状の顔料と、バインダーと、を含有することを特徴とする請求項１に記載の偽造防止機能を備えていることを特徴とする印刷物である。
【００１７】
また、請求項３に記載の発明は、請求項１または２に記載の偽造防止機能を備えた前記印刷物の真正性の判定方法であって、
前記偽造防止層が備えている左回転の円偏光と右回転の円偏光のいずれか、または両方の円偏光を、それぞれ特定の波長のみ反射する性質を、前記偽造防止層の表面に配置された右回転の円偏光板と左回転の円偏光板を使用して検知するか、または前記印刷物からの反射光を前記印刷物の真上と斜め上方から目視することによって検知することを特徴とする真正性の判定方法である。
【発明の効果】
【００１８】
本発明の偽造防止機能を備えた印刷物によれば、従来の情報コードを備えた印刷物の製造工程に、偽造防止層を１層形成する工程を追加するだけで製造することができるため、従来の印刷物の製造コストから著しくコストアップすることなく、偽造防止機能を備えた印刷物を提供することが可能である。
【００１９】
また、本発明の真正性の判定方法によれば、円偏光板を備えた簡便な検知具を使用するか、本発明の偽造防止機能を備えた印刷物からの反射光を、異なる角度から視認することによって、真正性の判定を可能とする。
【図面の簡単な説明】
【００２０】
【図１】本発明の偽造防止機能を備えた情報コードの一例を示す概略断面図。
【図２】本発明の偽造防止機能を備えた情報コードが備えている左回転の円偏光と右回転の円偏光のいずれか、または両方の円偏光を、それぞれ特定の波長のみ反射する性質を確認する方法の一例を示す概略説明図。
【図３】本発明の偽造防止機能を備えた情報コードが備えている左回転の円偏光と右回転の円偏光のいずれか、または両方の円偏光を、それぞれ特定の波長のみ反射する性質を確認する方法の一例を示す概略説明図。
【発明を実施するための形態】
【００２１】
＜偽造防止機能を備えた印刷物＞
本発明の偽造防止機能を備えた印刷物を、図１を用いて説明する。
本発明の偽造防止機能を備えた印刷物１０は、印刷可能な支持体である基材３と、情報コードのパターンを有する印刷層２と、偽造防止層１と、をこの順に備えている。
偽造防止層１は、左回転の円偏光と右回転の円偏光のいずれか、または両方の円偏光を、それぞれ特定の波長のみ反射する性質を備えていることが特徴である。
【００２２】
偽造防止層１の左回転の円偏光と右回転の円偏光のいずれか、または両方の円偏光を、それぞれ特定の波長のみ反射する性質を発現させる手段として、偽造防止層が、固体化したコレステリック液晶からなるフレーク状の顔料と、バインダーと、を含有させても良い。
【００２３】
（基材）
本発明の偽造防止機能を備えた印刷物１０に使用可能な基材３としては、特に材料を限定する必要は無い。一次元および二次元コードに代表される情報コードを、各種のインキを用いて形成可能である支持体であれば良く、各種の紙基材をはじめ、各種の樹脂シートおよび紙と樹脂の複合材料や積層材料を使用することができる。
【００２４】
（印刷層）
印刷層２は、情報コードを表すパターンからなる各種のインキ層である。各種のインキ層とは、例えば、通常のオフセット印刷用のインキを使用して、オフセット印刷することによって形成されても良いし、ダイレクト印刷方式であっても良い。版式も平版、凹版、凸版、等適するものを採用すれば良い。また、スクリーン印刷、インクジェット印刷、乾式および湿式の電子写真、静電印刷であっても良い。情報コードを表すパターンを形成できるパターン形成技術であれば、特に限定する必要は無い。
【００２５】
（偽造防止層）
偽造防止層１は、左回転の円偏光と右回転の円偏光のいずれか、または両方の円偏光を、それぞれ特定の波長のみ反射する性質を備えている層である。左回転の円偏光と右回転の円偏光のいずれか、または両方の円偏光を、それぞれ特定の波長のみ反射する性質とは、内部構造がキラルな物質が円偏光を吸収する際に、左円偏光と右円偏光に対して吸光度に差が生じる現象を指す。
【００２６】
具体的に左回転の円偏光と右回転の円偏光のいずれか、または両方の円偏光を、それぞれ特定の波長のみ反射する性質を示す材料としては、例えば、コレステリック高分子液晶顔料を挙げることができる。コレステリック高分子液晶顔料は、キラル相を有する三次元架橋性液晶物質を配向し、三次元的に架橋し、所望の粒度に粉砕して得られた顔料である。この顔料によって反射した光は円偏光である。
上記液晶性物質の中でも、コレステリック液晶はねじれ構造を有し、そのねじれ軸に沿って、光の屈折率が周期的に変動するため、ピッチに等しい波長の光を選択的に反射する。
従って、ピッチを制御することで所望のコレステリック色を作り出すことが可能である。また、ねじれ構造を有する液晶は、各分子が層を成して配置されており、層中で均一に配列されることで、初めてその光学的特性を形成する。この場合、分子は層毎にその優先方向を変えるので、ねじれ構造が生じる。各分子の配向は公知の方法、例えば配向層又は電界又は磁界によって制御できる。また、その固定化の代表的な方法には、キラル相を有する三次元架橋性液晶物質と多官能性重合性化合物を組み合わせ、紫外線照射によって、３次元架橋し、ねじれ構造を固定化でき、コレステリック高分子液晶ができる。
【００２７】
上記コレステリック高分子液晶の出発物質としては、紫外線から赤外線の光の波長に等しいピッチを有するねじれ構造を有する全てのコレステリック液晶物質が好ましい。即ち、
キラル相を有する液晶物質はネマチック、スメクチック又はディスコチック構造にキラル物質を加えることで製造できる。キラル物質の種類及び分子量がねじれ構造のピッチ、強いては反射光の波長を決定する。該構造のねじれ方向は左向きでも右向きでも良い。更に、出発物質は重合性基、重縮合性基又は重付加に有効な基を有し、これらの基の内、少なくとも一部は二官能性、三官能性及び多官能性を示し、例えば、メタクリルオキシ基、アクリルオキシ基等を有することが好ましく、３次元架橋性液晶ポリオルガノシロキサンが好適である。
【００２８】
また、上記コレステリック高分子液晶顔料の製造方法は、例えば、３次元架橋性液晶ポリオルガノシロキサンと光重合開始剤の混合溶液を、金属支持体、プラスチック支持体又はガラス支持体上に加温しながらドクターを用いて剪断力を加えながら塗布し、液晶分子を配向させる。次に、液晶層に紫外線を照射し、三次元架橋させる。三次元架橋した液晶層を支持体から剥離し、万能ミル等で粉砕し、フレーク状の顔料を得る。該顔料の大きさは５μｍ〜５ｍｍの粒度を有し、１〜１００μｍ、好ましくは５〜５０μｍの厚さを有する。該支持体は場合により、例えばポリイミド又はポリビニルアルコールから成る配向層を有していても良い。また、液晶分子の配向方法には、２枚のシート間で剪断することも可能であり、好ましくはポリエチレンテレフタレートを使用する方法もある。
【００２９】
上記偽造防止インキは、その結着剤（バインダー）、分散剤および助剤の種類により、例えば、グラビア印刷用、スクリーン印刷用等の各印刷方法用のインキとすることができる。上記偽造防止インキとしては、例えば上記コレステリック高分子液晶顔料を１０〜５０重量％含んでいることが好ましい。
【００３０】
＜真正性の判定方法＞
次に、本発明の偽造防止機能を備えた印刷物の真正性の判定方法について、図２と図３を使用して説明する。
【００３１】
本発明の偽造防止機能を備えた印刷物１０の真正性の判定方法は、偽造防止層が備えている左回転の円偏光と右回転の円偏光のいずれか、または両方の円偏光を、それぞれ特定の波長のみ反射する性質を、偽造防止層の表面に配置された右回転の円偏光板と左回転の円偏光板を使用して検知するか、または前記印刷物からの反射光を前記印刷物の真上と斜め上方から目視することによって検知する。
【００３２】
図２は、本発明の偽造防止機能を備えた印刷物１０の表面に対して真上から観察する位置Ａ（垂直な方向）から偽造防止機能を備えた印刷物１０を視認した場合と、斜め上方から観察する位置Ｂの場合と、を例示しているが、本発明の偽造防止機能を備えた印刷物１０においては、Ａから視認した場合の偽造防止機能を備えた印刷物１０の色と、Ｂから視認した場合の偽造防止機能を備えた印刷物１０の色と、が異なる。偽造防止層が形成されてない場合は、この左回転の円偏光と右回転の円偏光のいずれか、または両方の円偏光を、それぞれ特定の波長のみ反射する性質を示さないことから、本発明の偽造防止機能を備えた印刷物１０の真正性を判定することができる。
【００３３】
図３は、左回転の円偏光と右回転の円偏光のいずれか、または両方の円偏光を、それぞれ特定の波長のみ反射する性質の確認方法として、右回転の円偏光板４と左回転の円偏光板５を使用した例を示している。
本発明に係る上記右回転の円偏光板４及び左回転の円偏光板５は、ＰＶＡ延伸フィルムにヨードを吸収させたＰＶＡ−ヨウ素型、二色性染料型、金属または金属化合物含有型、ポリエン型などの高分子多結晶型が考えられ、特にＰＶＡ−ヨウ素型、二色性染料型フィルムが用いられた偏光フィルムに１／４λ波長位相差フィルムを重ねたものであり、位相差を１／４λ分進めるか遅らすかで、右または左の回転方向が決まる。
【００３４】
従って、自然光が右回転の円偏光板４を通過することで右回転の偏光となるが、偏光層中に、右巻きのねじれ構造を有するコレステリック高分子液晶が含有されることから、入射してきた右回転の偏光の内、そのねじれピッチに等しい波長の右回転の偏光のみを偏光層表面で反射し、その反射光を観察者は視認することができる。一方、左回転の円偏光板５側を通過した左回転の偏光は、偏光層中に、左巻きのねじれ構造を有するコレステリック高分子液晶が含有されることから、入射してきた左回転の偏光の内、そのねじれピッチに等しい波長の左回転の偏光のみを偏光層の表面で反射し、その反射光を観察者は視認することができる。この事を使用して、この現象が起これば真正品であり、起こらなければ偽造品と判定することができる。
【００３５】
なお、インキ化したコレステリック液晶顔料を、印刷層に加刷した構成によっても、同様の効果が得られるため、真正性の判定に使用することが可能である。
【実施例】
【００３６】
次に、本発明の実施例について説明する。
【００３７】
＜実施例１＞
基材として、粘着層とセパレータ付きのＡ４サイズラベル用紙（王子タック社製）を用意した。このラベル用紙に、レーザープリンタを用いて、トナー（墨）からなる二次元コードを印刷した。
【００３８】
二次元コードをラベル用紙に印刷した後、スクリーン印刷により、スクリーン印刷用セキュリティインキ（ＯＡＳＩＳ（ＳＩＣＰＡ社登録商標）、Ｒｅｄ／Ｇｒｅｅｎ（Ｒ＋Ｌ）ＳＩＬＫＳＣＲＥＥＮ  ５ＺＢ、ＳＩＣＰＡ社製）を二次元コードが形成された側のラベル用紙に、全ベタで印刷した。使用したスクリーン版は、Ｔ２００ＳＢであった。
【００３９】
印刷したセキュリティインキは、超高圧水銀ランプを使用した１．５ｋＷの標準コンベ
アタイプのＵＶ乾燥機にて、積算光量２５４ｍＪ／ｃｍ２、ピークパワー４６２ｍＷ／ｃｍ２なる条件で乾燥することにより、偽造防止機能を備えた二次元コードである印刷物を作成した。
【００４０】
このようにして作成したラベル用紙上の二次元コードを、二次元コード読取りアプリ（ＱＲコード(登録商標）、デンソーウェーブ社登録商標）  Ｒｅａｄｅｒ“Ｑ”をインストールしたスマートフォンにて、読取りを行った結果、セキュリティインキを印刷する前と後において、良好に読み取ることができた。
【００４１】
次に、観察角度を変える（ラベル用紙上の二次元コードを真上および斜め上方）ことにより、二次元コードの色が赤色から緑色に変化することを目視にて確認した。
また、円偏光フィルタを使用した簡易検証器を、偽造防止機能を備えた二次元コードにかざすことによって、赤色と緑色に変化することを確認した。
【符号の説明】
【００４２】
１・・・偽造防止層
２・・・印刷層
３・・・基材
４・・・右回転の円偏光板
５・・・左回転の円偏光板
１０・・・偽造防止機能を備えた情報コード
Ａ・・・真上から観察する位置
Ｂ・・・斜め上方から観察する位置
【図１】
2018072388.tif 000003
【図２】
2018072388.tif 000004
【図３】
2018072388.tif 000005